(57)【特許請求の範囲】
【請求項１】
第１方向に沿って延在して設けられる第１部分と、前記第１方向に対して屈曲し第１方向とは異なる第２方向に延在して設けられる第２部分とを有する信号線と、
前記信号線が固定され、前記信号線に沿って帯状に形成されるベースフィルムと、
前記第１方向と交差する方向および前記第２方向と交差する方向に前記ベースフィルムと一体的に延長されて、前記第１部分および前記第２部分の前記信号線が屈曲した位置を含む区間に形成され、他の信号線を着脱自在に保持する保持部と
を備えるフレキシブル基板。
【請求項２】
前記保持部は、前記第１方向と交差する方向の移動によって前記信号線を着脱する請求項１に記載のフレキシブル基板。
【請求項３】
前記保持部は開口を有し、前記開口により前記他の信号線を保持することを特徴とする請求項１または２に記載のフレキシブル基板。
【請求項４】
前記保持部には開口が設けられるともに、前記保持部は前記開口内に突出する凸部を有し、前記保持部における前記開口の周囲と前記凸部との間で前記他の信号線を挟んで保持する請求項１から請求項３のいずれか一項に記載のフレキシブル基板。
【請求項５】
前記開口はＵ字状の切込みである請求項４に記載のフレキシブル基板。
【請求項６】
前記開口はＨ字状の切込みである請求項４に記載のフレキシブル基板。
【請求項７】
前記保持部には開口が設けられ、前記開口に前記他の信号線の凸部が収容されることにより前記保持部が前記他の信号線を保持する請求項１から請求項３のいずれか一項に記載のフレキシブル基板。
【請求項８】
前記保持部には開口および前記開口から周縁部に切り込まれた切り込みが設けられ、前記切り込みから前記他の信号線が挿脱され、前記開口の周囲で前記他の信号線の表裏面を挟んで保持する請求項１から請求項３のいずれか一項に記載のフレキシブル基板。
【請求項９】
前記保持部は、他の信号線としてフレキシブル基板を保持する請求項１から８のいずれか一項に記載のフレキシブル基板。
【請求項１０】
前記保持部は、複数の前記他の信号線を保持する請求項１から９のいずれか一項に記載のフレキシブル基板。
【請求項１１】
請求項１から１０のいずれか一項に記載のフレキシブル基板および前記他の信号線を有する電子機器。
【発明の詳細な説明】
【技術分野】
【０００１】
本発明は、フレキシブル基板および電子機器に関する。
【背景技術】
【０００２】
フレキシブル基板を固定する場合に用いられる両面テープがある（特許文献１参照）。
特許文献１  特開２００６−３３２１８７号公報
【発明の概要】
【発明が解決しようとする課題】
【０００３】
接着されたフレキシブル基板を剥がす場合に、フレキシブル基板が傷むことがある。
【課題を解決するための手段】
【０００４】
本発明の第一態様として、帯状のベースフィルムと、ベースフィルムの長手方向に沿って延伸し、ベースフィルムに固定された信号線と、ベースフィルムの長手方向に交差する方向に、ベースフィルムと一体的に延長され、他の信号線を着脱自在に保持する保持部とを備えるフレキシブル基板が提供される。
【０００５】
本発明の第二態様として、上記フレキシブル基板および他の信号線を有する電子機器が提供される。
【０００６】
上記の発明の概要は、本発明の必要な特徴の全てを列挙したものではない。これらの特徴群のサブコンビネーションもまた発明となり得る。
【図面の簡単な説明】
【０００７】
【図１】フレキシブル基板１００の平面図である。
【図２】フレキシブル基板２００の平面図である。
【図３】フレキシブル基板１００、２００の平面図である。
【図４】フレキシブル基板１００、２００の断面図である。
【図５】フレキシブル基板２０１の平面図である。
【図６】フレキシブル基板１０１の平面図である。
【図７】フレキシブル基板２０２の平面図である。
【図８】フレキシブル基板１０１、２０２の平面図である。
【図９】フレキシブル基板１０２の平面図である。
【図１０】フレキシブル基板１０２、２０２の平面図である。
【図１１】フレキシブル基板１０３の平面図である。
【図１２】フレキシブル基板１０３、２０２の平面図である。
【図１３】フレキシブル基板１０４の平面図である。
【図１４】フレキシブル基板２０３の平面図である。
【図１５】フレキシブル基板１０４、２０３の平面図である。
【図１６】フレキシブル基板１０５の平面図である。
【図１７】フレキシブル基板１０５、２０２の平面図である。
【図１８】フレキシブル基板１０５、２０２の平面図である。
【図１９】フレキシブル基板１０６の平面図である。
【図２０】フレキシブル基板１０７の平面図である。
【図２１】線材３００の平面図である。
【図２２】フレキシブル基板１０７および線材３００の平面図である。
【図２３】フレキシブル基板１０７および線材３００の平面図である。
【図２４】フレキシブル基板１０８の平面図である。
【図２５】フレキシブル基板１０８の斜視図である。
【図２６】フレキシブル基板１０８、２０２の斜視図である。
【図２７】フレキシブル基板１０９の平面図である。
【図２８】電子機器４００の斜視図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、フレキシブル基板１００の平面図である。フレキシブル基板１００は、ベースフィルム１１０および配線部１２０を有する。
【００１０】
ベースフィルム１１０は、十数μｍから数十μｍ程度の厚さを有するポリイミド樹脂等により形成される。ベースフィルム１１０は、材料の特性により絶縁性を有する。また、ベースフィルム１１０は、可撓性および弾性を有する。フレキシブル基板１００において、ベースフィルム１１０は、配線部１２０よりも大きな幅を有して、配線部１２０に沿って帯状に形成される。
【００１１】
配線部１２０は、十数μｍから数十μｍ程度の厚さを有する銅等の導電材料により形成される。配線部１２０は、ベースフィルム１１０の表面に固定されて、フレキシブル基板１００の長手方向に沿って延在して信号線を形成する。また、フレキシブル基板１００においては、ひとつのベースフィルム１１０上に、互いに平行に複数の配線部１２０が間隔をおいて配される。配線部１２０における個々の信号線は互いに絶縁されており、流れる信号の電気的特性に応じて相互に異なる幅を有する場合もある。
【００１２】
更に、フレキシブル基板１００の長手方向中間部において、配線部１２０はクランク状に屈曲する。配線部１２０が屈曲した区間において、ベースフィルム１１０は、フレキシブル基板１００の長手方向に交差する方向に拡がって保持部１３０を形成する。
【００１３】
保持部１３０は、長さＬ１、幅Ｗ１を有する矩形の開口部１３４を有する。開口部１３４の四隅は面取りされており、保持部１３０に機械的な負荷がかかった場合に、開口部１３４の隅部に応力集中が生じてベースフィルム１１０が裂けることを防止している。
【００１４】
なお、フレキシブル基板１００の両端においては、配線部１２０における信号線の間隔が狭くなり、ベースフィルム１１０の幅も狭くなっている。これにより、フレキシブル基板１００の両端は、他の基板上のコネクタに挿し込み易くなる。
【００１５】
図２は、フレキシブル基板２００の平面図である。フレキシブル基板２００は、ベースフィルム２１０および配線部２２０を有する。
【００１６】
フレキシブル基板２００におけるベースフィルム２１０および配線部２２０は、配線部２２０が直線的な配線経路を有することを除けば、フレキシブル基板１００と同じ構造を有する。また、ベースフィルム２１０および配線部２２０の材料も、フレキシブル基板１００と同じものを使用できる。
【００１７】
ただし、フレキシブル基板２００は、長手方向中間部において、保持部１３０に換えて一対の凸部２３１を有する。凸部２３１は、フレキシブル基板２００の長手方向に交差する方向に拡がり、ベースフィルム２１０を延長して形成される。
【００１８】
一対の凸部２３１は、フレキシブル基板１００の長手方向における開口部１３４の長さＬ１よりも僅かに狭い長さＬ２をそれぞれ有する。また、一対の凸部２３１を含むフレキシブル基板２００全体の幅Ｗ２は、フレキシブル基板１００の開口部１３４の幅Ｗ１よりも大きい。
【００１９】
なお、フレキシブル基板２００においても、凸部２３１の出隅および入隅の各々は面取りされている。これにより、凸部２３１に機械的な負荷がかかった場合に、凸部２３１の付け根等で生じた応力集中によりベースフィルム１１０が裂けることを防止している。
【００２０】
図３は、フレキシブル基板１００が、他の信号線としてのフレキシブル基板２００を保持した状態を示す平面図である。図１および図２と共通の要素には同じ参照番号を付して重複する説明を省く。
【００２１】
フレキシブル基板２００における凸部２３１近傍の区間は、フレキシブル基板１００の保持部１３０の上に重ねられる。ただし、凸部２３１の先端縁部２３３近傍は、開口部１３４を通じて、保持部１３０の裏面側に挿し込まれる。
【００２２】
これにより、フレキシブル基板１００、２００は相互に係合する。よって、例えば、フレキシブル基板１００に着目すると、フレキシブル基板１００は、保持部１３０においてフレキシブル基板２００を保持する。
【００２３】
図４は、フレキシブル基板２００を保持したフレキシブル基板１００の断面図である。図４は、図３に矢印Ａで示した箇所における、フレキシブル基板１００、２００の長手方向に直交する断面を示す。
【００２４】
保持部１３０において、フレキシブル基板２００における凸部２３１の先端縁部２３３は、フレキシブル基板１００のベースフィルム１１０に対して、配線部１２０が実装された面の裏面に位置する。これに対して、フレキシブル基板２００において配線部２２０が実装された領域は、フレキシブル基板１００のベースフィルム１１０に対して、配線部１２０が実装された面と同じ側に位置する。
【００２５】
フレキシブル基板１００、２００のベースフィルム１１０、２１０にはそれぞれ弾力性があるので、フレキシブル基板１００、２００は、保持部１３０において互いに係合する。よって、例えば、両端をコネクタに保持されたフレキシブル基板１００が電子機器に対して既に固定されているとすると、フレキシブル基板２００は、フレキシブル基板１００に係合することにより電子機器に対して固定される。このように、フレキシブル基板１００は、それ自体が信号線であるフレキシブル基板２００を保持することができる。
【００２６】
また、フレキシブル基板２００は、フレキシブル基板１００の長手方向に交差する方向からフレキシブル基板１００に保持させることができる。よって、フレキシブル基板１００、２００の少なくとも一方が既に固定された後であっても、開口部１３４および凸部２３１の位置が重なっていれば、相互に係合させることができる。
【００２７】
更に、凸部２３１をフレキシブル基板１００の長手方向に交差する方向から開口部１３４に挿し込むことによりフレキシブル基板２００を係合させるので、フレキシブル基板２００を、開口部１３４に端から通さなくてもよい。よって、フレキシブル基板１００、２００を含む電子機器を組み立てる場合に、任意のタイミングでフレキシブル基板１００、２００を係合させることができる。
【００２８】
更に、係合させたフレキシブル基板１００、２００においては、凸部２３１が開口部１３４の側面に当接することにより、フレキシブル基板１００、２００相互の長手方向の変位が規制される。よって、互いに係合させることにより、フレキシブル基板１００、２００の長手方向についても相互に位置決めできる。
【００２９】
また、保持部１３０に対して係合したフレキシブル基板２００は、ベースフィルム２１０の弾性に抗して凸部２３１を変形させて開口部１３４から抜くことにより解除できる。よって、いったん係合したフレキシブル基板１００、２００を傷めることなく、両者を分離できる。また、フレキシブル基板１００、２００の脱着を繰り返しても、フレキシブル基板１００、２００のいずれかが劣化することはない。
【００３０】
更に、保持部１３０および凸部２３１を係合させることにより、当初は複数に別れていたフレキシブル基板１００、２００を相互に係合させて一体的に取り扱える。換言すれば、一体的に取り扱うべきフレキシブル基板１００、２００を複数に分割して製造できるので、フレキシブル基板１００、２００の母材におけるパターン配分の自由度が高くなり、母材の利用効率を向上させることができる。
【００３１】
なお、上記の例では、フレキシブル基板１００がフレキシブル基板２００を保持すると記載したが、逆に、フレキシブル基板２００がフレキシブル基板１００を保持する場合にも、開口部１３４および凸部２３１の組み合わせを利用できる。また、開口部１３４を有するひとつのフレキシブル基板１００に、複数のフレキシブル基板２００の凸部２３１を挿し込んで、複数のフレキシブル基板２００を保持させることができる。更に、同様に、一対の凸部２３１を有する１本のフレキシブル基板２００に対して、開口部１３４を有する複数のフレキシブル基板１００を係合させることもできる。
【００３２】
更に、フレキシブル基板１００の複数箇所にそれぞれ保持部１３０または凸部２３１を設けて、フレキシブル基板１００、２００を複数箇所で係合させてもよい。更に、複数箇所の保持部１３０において、それぞれ別の他の信号線を保持してもよい。
【００３３】
図５は、フレキシブル基板２０１の平面図である。フレキシブル基板２００と共通の要素には同じ参照番号を付す。
【００３４】
図示のように、フレキシブル基板２０１においては、凸部２３１の先端縁部２３３の中央部が更に突出して、先端縁部２３３が円弧状の形状を有する。これにより、凸部２３１をフレキシブル基板１００の開口部１３４に挿し込む場合の作業性が向上される。
【００３５】
図６は、他のフレキシブル基板１０１の平面図である。図１に示したフレキシブル基板１００と共通の要素には同じ参照番号を付して重複する説明を省く。
【００３６】
フレキシブル基板１０１は、保持部１３０における開口部１３４に代わって切り込み部１３２を有する。切り込み部１３２はＨ字状の形状を有する。切り込み部１３２は、フレキシブル基板１０１の長手方向に直交する方向について幅Ｗ３を有する。
【００３７】
また、切り込み部１３２には、互いに対向する一対の凸部１３６が形成される。凸部１３６先端の間には幅Ｗ４の間隙が形成される。
【００３８】
図７は、フレキシブル基板２０２の平面図である。フレキシブル基板２０２は、帯状のベースフィルム２１０と、ベースフィルム２１０上に直線的に配された配線部２２０とを有する。配線部２２０は、互いに平行な複数の信号線を含む。
【００３９】
フレキシブル基板２０２の幅Ｗ５は、フレキシブル基板１０１におけるＨ字状の切り込み部１３２全体の幅Ｗ３よりも狭い。また、フレキシブル基板２０２の幅Ｗ５は、フレキシブル基板１０１における保持部１３０における凸部１３６先端の間隔Ｗ４よりも広い。
【００４０】
図８は、フレキシブル基板１０１に、他の信号線としてのフレキシブル基板２０２を保持させた状態を示す平面図である。図６および図７と共通の要素には同じ参照番号を付して重複する説明を省く。
【００４１】
フレキシブル基板２０２は、フレキシブル基板１０１の保持部１３０の上面に重ねられる。ただし、切り込み部１３２において、フレキシブル基板２０２は、凸部１３６の下側を通過する。これにより、フレキシブル基板２０２は、フレキシブル基板１０１に保持される。このように、フレキシブル基板１０１は、切り込み部１３２の縁部と、凸部１３６との間に挟んで、一定の幅Ｗ５を有する汎用のフレキシブル基板２０２を保持できる。
【００４２】
フレキシブル基板２０２は、フレキシブル基板１０１の切り込み部１３２における凸部１３６先端の間隙から、ベースフィルム１１０の弾性に抗してフレキシブル基板２０２を押し込むことによりフレキシブル基板１０１に保持させることができる。よって、フレキシブル基板２０２を先端から切り込み部１３２に挿通しなくてもよい。また、フレキシブル基板２０２は長手方向に均一の幅を有するので、長手方向の任意の位置をフレキシブル基板１０１に保持させることができる。
【００４３】
また、保持部１３０に保持されたフレキシブル基板２０２は、ベースフィルム２１０の弾性に抗して凸部１３６を変形させることにより、保持部１３０から取り外すことができる。よって、いったん保持されたフレキシブル基板２０２を傷めることなく、両者を分離できる。更に、フレキシブル基板１０１、２０２の脱着を繰り返しても、フレキシブル基板１０１、２０２のいずれかが劣化することはない。
【００４４】
なお、フレキシブル基板１０１は、保持部１３０に複数のフレキシブル基板２０２を重ねて保持できる。また、フレキシブル基板１０１の複数箇所に保持部１３０を設けて、フレキシブル基板２０２を複数箇所で保持してもよい。更に、複数箇所の保持部１３０において、それぞれ別の信号線を保持してもよい。
【００４５】
図９は、また他のフレキシブル基板１０２の平面図である。図１および図６に示したフレキシブル基板１００、１０１と共通の要素には同じ参照番号を付して重複する説明を省く。
【００４６】
フレキシブル基板１０２は、保持部１３０に切り込み部１３２を有する。切り込み部１３２はＵ字状の形状を有する。この形状により、切り込み部１３２の内側には凸部１３６が形成される。凸部１３６の先端は、配線部１２０から遠ざかる方向に突出する。
【００４７】
図１０は、フレキシブル基板１０２に、他の信号線としてのフレキシブル基板２０２を保持させた状態を示す平面図である。図７および図９と共通の要素には同じ参照番号を付して重複する説明を省く。
【００４８】
フレキシブル基板２０２は、フレキシブル基板１０２の保持部１３０の上に重ねられる。ただし、切り込み部１３２において、フレキシブル基板２０２は、凸部１３６の下側を通過する。これにより、フレキシブル基板２０２は、凸部１３６と、保持部１３０のその他の領域との間に挟まれて保持される。
【００４９】
フレキシブル基板２０２は、フレキシブル基板１０１の切り込み部１３２における凸部１３６先端をベースフィルム１１０の弾性に抗して持ち上げ、その下にフレキシブル基板２０２の一部を挿し込むことにより保持させることができる。よって、フレキシブル基板２０２を、端部から切り込み部１３２に挿通させることなく、長手方向の任意の位置でフレキシブル基板１０２に保持させることができる。
【００５０】
保持部１３０に保持されたフレキシブル基板２０２は、ベースフィルム２１０の弾性に抗して凸部１３６を変形させることにより、保持部１３０から取り外すことができる。よって、いったん保持されたフレキシブル基板２０２を傷めることなく、両者を分離できる。また、フレキシブル基板１０２、２０２の脱着を繰り返しても、フレキシブル基板１０２、２０２のいずれかが劣化することはない。
【００５１】
なお、ひとつのフレキシブル基板１０２に、複数の保持部１３０を設けてもよいことはいうまでもない。更に、複数設けた保持部１３０の構造、形状、大きさ等は互いに異なっていてもよい。
【００５２】
図１１は、また他のフレキシブル基板１０３の平面図である。図１、図６および図９に示したフレキシブル基板１００、１０１、１０２と共通の要素には同じ参照番号を付して重複する説明を省く。
【００５３】
フレキシブル基板１０３は、フレキシブル基板１０２と同じ形状の一対の切り込み部１３２を保持部１３０に有する。切り込み部１３２の各々はＵ字状の形状を有し、切り込み部１３２の内側に凸部１３６が形成される。
【００５４】
ただし、凸部１３６の一方は配線部１２０に向かって突出し、凸部１３６の他方は配線部１２０から遠ざかる方向に突出する。また、一方の切り込み部１３２の図中上端から他方の切り込み部１３２の図中下端までの間隙の幅Ｗ６は、直線状のフレキシブル基板１０２の幅Ｗ５よりも広い。
【００５５】
図１２は、フレキシブル基板１０３に、他の信号線としてのフレキシブル基板２０２を保持させた状態を示す平面図である。図７および図１１と共通の要素には同じ参照番号を付して重複する説明を省く。
【００５６】
フレキシブル基板２０２は、フレキシブル基板１０３の保持部１３０の上面に重ねられる。ただし、切り込み部１３２において、フレキシブル基板２０２は、凸部１３６の下側を通過する。ここで、凸部１３６は互いに対向する方向に突出しているので、フレキシブル基板２０２は、幅方法について両側から凸部１３６に挟まれる。これにより、保持部１３０は、フレキシブル基板２０２を幅方向に位置決めして保持する。
【００５７】
フレキシブル基板１０２に保持された場合と同様に、フレキシブル基板２０２は、凸部１３６先端をベースフィルム１１０の弾性に抗して持ち上げ、その下にフレキシブル基板２０２の一部を挿し込むことにより保持される。よって、フレキシブル基板２０２を、端部から切り込み部１３２に挿通させることなく、長手方向の任意の位置でフレキシブル基板１０３に保持させることができる。
【００５８】
また、フレキシブル基板１０３に保持されたフレキシブル基板２０２は、ベースフィルム２１０の弾性に抗して凸部１３６を変形させることにより、保持部１３０から取り外すことができる。よって、いったん保持されたフレキシブル基板２０２を傷めることなく、両者を分離できる。また、フレキシブル基板１０３、２０２の脱着を繰り返しても、フレキシブル基板１０２、２０２のいずれかが劣化することはない。
【００５９】
なお、ひとつのフレキシブル基板１０３に、複数の保持部１３０を設けてもよいことはもちろんである。更に、複数設けた保持部１３０の構造、形状、大きさ等は互いに異なっていてもよい。
【００６０】
図１３は、また他のフレキシブル基板１０４の平面図である。図１、図６、図９および図１１に示したフレキシブル基板１００、１０１、１０２、１０３と共通の要素には同じ参照番号を付して重複する説明を省く。
【００６１】
フレキシブル基板１０４は、Ｕ字状の形状を有する切り込み部１３２を保持部１３０に有する。これにより、切り込み部１３２の内側に凸部１３６が形成される。ただし、凸部１３６は、配線部１２０のいずれに対しても４５°傾斜して、配線部１２０に接近する方向に突出する。
【００６２】
図１４は、フレキシブル基板２０３の平面図である。フレキシブル基板２０３は、帯状のベースフィルム２１０と、ベースフィルム２１０上に配された配線部２２０とを有する点で、フレキシブル基板２０２と共通するが、長手方向の中間部に、信号経路が９０°屈曲する屈曲部２１２を有する。
【００６３】
図１５は、フレキシブル基板１０４に、フレキシブル基板２０３を保持させた状態を示す平面図である。図１３および図１４と共通の要素には同じ参照番号を付して重複する説明を省く。
【００６４】
フレキシブル基板２０３は、フレキシブル基板１０４の保持部１３０の上に重ねられるが、凸部１３６は、フレキシブル基板２０３の上に位置する。また、フレキシブル基板２０３の屈曲部２１２の外側端部は、保持部１３０の下側に入り込む。
【００６５】
これにより、フレキシブル基板２０３は、屈曲部２１２において保持部１３０に保持され、フレキシブル基板１０４の配線部１２０に対して一定の間隔を保つ。フレキシブル基板２０３は屈曲部２１２を有するので、フレキシブル基板２０３の配線部２２０と、フレキシブル基板１０４の配線部１２０が交差することはない。
【００６６】
フレキシブル基板２０３をフレキシブル基板１０４に保持させる場合、まず、凸部１３６先端をベースフィルム１１０の弾性に抗して持ち上げ、その下にフレキシブル基板２０２の屈曲部２１２を挿し込む。次いで、フレキシブル基板２０３の角部を、保持部１３０のベースフィルム１１０の下に差し込む。これにより、フレキシブル基板２０３を、端部から切り込み部１３２に挿通させることなく、フレキシブル基板２０３の屈曲部２１２をフレキシブル基板１０４に保持させることができる。
【００６７】
また、フレキシブル基板１０４に保持されたフレキシブル基板２０３は、ベースフィルム２１０の弾性に抗して屈曲部２１２を撓ませることにより保持部１３０から取り外すことができる。よって、いったん保持されたフレキシブル基板２０３を傷めることなくフレキシブル基板１０４から分離できる。また、フレキシブル基板１０４、２０３の脱着を繰り返しても、フレキシブル基板１０４、２０３のいずれかが劣化することはない。
【００６８】
なお、ひとつのフレキシブル基板１０４に、複数の保持部１３０を設けてもよいことはもちろんである。更に、複数設けた保持部１３０の構造、形状、大きさ等は互いに異なっていてもよい。
【００６９】
図１６は、また他のフレキシブル基板１０５の平面図である。図１、図６、図９、図１１および図１３に示したフレキシブル基板１００、１０１、１０２、１０３、１０４と共通の要素には同じ参照番号を付して重複する説明を省く。
【００７０】
フレキシブル基板１０５は、保持部１３０の外縁までつながった切り込み部１３２を有する。保持部１３０の内側では、切り込み部１３２は拡がって開口部１３４を形成する。
【００７１】
図１７は、フレキシブル基板１０５に、他の信号線としてのフレキシブル基板２０２を保持させた状態を示す平面図である。図７および図１６と共通の要素には同じ参照番号を付して重複する説明を省く。
【００７２】
フレキシブル基板２０２は、保持部１３０の開口部１３４に挿通されている。フレキシブル基板２０２は、ベースフィルム１１０の弾性に抗して切り込み部１３２を押し開くことにより開口部１３４に差し込まれる。よって、フレキシブル基板２０２を、端部から切り込み部１３２に挿通させることなく、長手方向の任意の位置でフレキシブル基板１０５に保持させることができる。
【００７３】
また、フレキシブル基板１０５に保持されたフレキシブル基板２０２は、ベースフィルム２１０の弾性に抗して切り込み部１３２を押し開くことにより開口部１３４から取り外すことができる。よって、いったん保持されたフレキシブル基板２０２を傷めることなく、両者を分離できる。また、フレキシブル基板１０５、２０２の脱着を繰り返しても、フレキシブル基板１０２、２０２のいずれかが劣化することはない。
【００７４】
図１８は、フレキシブル基板１０５に、他の信号線としてのフレキシブル基板２０２を保持させた状態を示す平面図である。図７、図１６および図１７と共通の要素には同じ参照番号を付して重複する説明を省く。
【００７５】
図１７に示した状態と同様に、フレキシブル基板２０２は、フレキシブル基板１０５の開口部１３４に挿通されている。ただし、フレキシブル基板２０２は、フレキシブル基板１０５の長手方向に交差する方向に挿通されている。
【００７６】
このように、保持部１３０は、延在方向の異なるフレキシブル基板２０２を保持できる。また、保持部１３０は、図１４に示した屈曲部２１２を有するフレキシブル基板２０３のように、形状の異なる他の信号線を保持することもできる。
【００７７】
なお、ひとつのフレキシブル基板１０５に、複数の保持部１３０を設けてもよいことはもちろんである。更に、複数設けた保持部１３０の構造、形状、大きさ等は互いに異なっていてもよい。
【００７８】
図１９は、また他のフレキシブル基板１０６の平面図である。図１、図６、図９、図１１、図１３および図１６に示したフレキシブル基板１００、１０１、１０２、１０３、１０４、１０５と共通の要素には同じ参照番号を付して重複する説明を省く。
【００７９】
フレキシブル基板１０６は、保持部１３０にＸ字状の形状を有する切り込み部１３２を有する。この形状により、切り込み部１３２には、２対の凸部１３１、１３３、１３５、１３７が形成される。
【００８０】
よって、フレキシブル基板１０６は、互いに対向する一対の凸部１３１、１３５の下に差し込むことにより、フレキシブル基板２０２等の他の信号線を、フレキシブル基板１０６の長手方向に保持できる。また、フレキシブル基板１０６は、互いに対向する他の一対の凸部１３３、１３７の下に差し込むことにより、フレキシブル基板２０２等の他の信号線を、フレキシブル基板１０６の長手方向と交差する方向に保持できる。
【００８１】
なお、ひとつのフレキシブル基板１０６に、複数の保持部１３０を設けてもよいことはもちろんである。更に、複数設けた保持部１３０の構造、形状、大きさ等は互いに異なっていてもよい。
【００８２】
図２０は、また他のフレキシブル基板１０７の平面図である。図１、図６、図９、図１１、図１３、図１６および図１９に示したフレキシブル基板１００、１０１、１０２、１０３、１０４、１０５、１０６と共通の要素には同じ参照番号を付して重複する説明を省く。
【００８３】
フレキシブル基板１０７は、保持部１３０にＵ字状の切り込み部１３２を有する。この形状により、切り込み部１３２の内側には凸部１３６が形成される。
【００８４】
また、フレキシブル基板１０７は、保持部１３０に複数の案内部１３８を有する。案内部１３８は、Ｕ字状の切り込み部１３２において互いに平行な２対の縁部に切り込みとして形成される。
【００８５】
図２１は、線材３００の平面図である。線材３００は、それぞれが線状の複数の信号線を含む。なお、線材３００としては、単芯線、同軸線等の電気信号を伝播させる信号線の他、光信号を伝播させる光ファイバ、引っ張り力に抗するケブラー線等のテンションメンバを例示できる。
【００８６】
図２２は、フレキシブル基板１０７に、他の信号線としての線材３００を保持させた状態を示す平面図である。図２０および図２１と共通の要素には同じ参照番号を付して重複する説明を省く。
【００８７】
線材３００は、保持部１３０の上面に重なって配されるが、部分的に凸部１３６の下側を通る。これにより、線材３００の各々は、案内部１３８に嵌まり込んで、互いに一定の間隔を保つ。
【００８８】
保持部１３０において、線材３００は、凸部１３６の先端に形成された間隙から凸部１３６の下側に入れることができる。よって、保持部１３０は、線材３００を端部から挿通させることなく、長手方向の任意の位置で保持できる。
【００８９】
また、フレキシブル基板１０７に保持された線材３００は、凸部１３６の先端に形成された間隙から抜き取ることにより、フレキシブル基板１０７による保持から解放できる。よって、フレキシブル基板１０７および線材３００の脱着を繰り返しても、フレキシブル基板１０７および線材３００のいずれかが劣化することはない。
【００９０】
図２３は、フレキシブル基板１０７に、他の信号線としての線材３００を保持させた他の状態を示す平面図である。図２０、図２１および図２２と共通の要素には同じ参照番号を付して重複する説明を省く。
【００９１】
図示のフレキシブル基板１０７において、保持部１３０の形状および機能は、図２０、および図２２に示したフレキシブル基板１０７と変わらない。ただし、このフレキシブル基板１０７は、配線部１２０が直線状に配され、保持部１３０は配線部１２０の側方片側に突出して形成される。
【００９２】
このような形状により、線材３００は、フレキシブル基板１０７の配線部１２０と交差することなく配される。また、線材３００どうしの間隔も一定に保たれる。よって、線材３００相互と配線部１２０とのクロストークが抑制される。
【００９３】
なお、ひとつのフレキシブル基板１０７に、複数の保持部１３０を設けてもよいことはいうまでもない。更に、複数設けた保持部１３０の構造、形状、大きさ等は互いに異なっていてもよい。また、上記のように、フレキシブル基板１０７の配線部１２０が、保持部１３０に保持した線材３００、フレキシブル基板２０２、２０３等の信号線と交差しない配置は、保持部１３０を有する他のフレキシブル基板１００、１０１、１０２、１０３、１０４、１０５、１０６においても採用できる。
【００９４】
図２４は、また他のフレキシブル基板１０８の平面図である。図１、図６、図９、図１１、図１３、図１６、図１９および図２０に示したフレキシブル基板１００、１０１、１０２、１０３、１０４、１０５、１０６、１０７と共通の要素には同じ参照番号を付して重複する説明を省く。
【００９５】
フレキシブル基板１０８において、保持部１３０は、配線部１２０の両側方に突出した一対の帯状部を含む。帯状部はベースフィルム１１０の延長として形成される。
【００９６】
図中で配線部１２０の上方に位置する保持部１３０の片方は、先端に差し込み部１３９を有する。差し込み部１３９は、先端にテーパ状部分を有すると共に、幅Ｗ７が狭くなったくびれ部を付け根部分に有する。
【００９７】
図中で配線部１２０の下方に位置する保持部１３０の他方は、長穴状の切り込み部１３２を先端近傍に有する。切り込み部１３２の幅Ｗ８は、上側の帯状部におけるくびれ部の幅Ｗ７よりも広い。
【００９８】
図２５は、フレキシブル基板１０８単独で、保持部１３０を組み立てた状態を示す斜視図である。図２５と共通の要素には同じ参照番号を付して重複する説明を省く。
【００９９】
フレキシブル基板１０８においては、帯状部を屈曲させて、差し込み部１３９を切り込み部１３２に差し込むことにより、環状の保持部１３０が形成される。よって、環状の保持部１３０内に他の信号線を挿通することにより、フレキシブル基板１０８は、他の信号線を保持できる。
【０１００】
図２６は、フレキシブル基板１０８に、他の信号線としてのフレキシブル基板２０２を保持させた状態を示す斜視図である。図７、図２４および図２５と共通の要素には同じ参照番号を付して重複する説明を省く。
【０１０１】
図示のように、フレキシブル基板１０８の保持部１３０が環状に組み立てられており、フレキシブル基板２０２が当該保持部１３０に挿通されている。これにより、フレキシブル基板２０２はフレキシブル基板１０８に保持され、両者を一体的に取り扱うことができる。
【０１０２】
なお、説明の便宜のためにフレキシブル基板２０２を保持部１３０に挿通すると記載した。しかしながら、保持部１３０の組み立てられていないフレキシブル基板１０８に、他の信号線としてのフレキシブル基板２０２を沿わせた後に、差し込み部１３９を切り込み部１３２に差し込んで保持部１３０を組み立てれば、フレキシブル基板２０２を端部から挿通することなく、保持部１３０に保持させることができる。
【０１０３】
また、組み立てられた保持部１３０は、差し込み部１３９を撓めて先端部の幅を狭くした状態で切り込み部１３２から抜くことにより、ベースフィルム１１０を傷めることなく、フレキシブル基板２０２を解放できる。よって、フレキシブル基板２０２の着脱を繰り返しても、フレキシブル基板１０８、２０２が劣化することはない。
【０１０４】
更に、フレキシブル基板１０８の保持部１３０の内径は、フレキシブル基板２０２の断面寸法に対して大きい。よって、保持部１３０に、複数のフレキシブル基板２０２を保持させることもできる。また、ひとつのフレキシブル基板１０８に、複数の保持部１３０を設けてもよいことはもちろんである。更に、複数設けた保持部１３０の構造、形状、大きさ等は互いに異なっていてもよい。
【０１０５】
図２７は、また他のフレキシブル基板１０９の平面図である。図１、図６、図９、図１１、図１３、図１６、図１９、図２０および図２４に示したフレキシブル基板１００、１０１、１０２、１０３、１０４、１０５、１０６、１０７、１０８と共通の要素には同じ参照番号を付して重複する説明を省く。
【０１０６】
フレキシブル基板１０９において、保持部１３０は、配線部１２０の両側方に突出した一対の帯状部を含む。帯状部はベースフィルム１１０の延長として形成される。
【０１０７】
帯状部の先端近傍には、帯状部の幅の半分を越えて切り込まれた切り込み部１３２が形成される。切り込み部１３２は、フレキシブル基板１０９の長手方向について、互いに反対の方向から帯状部に切り込まれる。
【０１０８】
上記のようなフレキシブル基板１０９は、切り込み部１３２において帯状部の先端を係合させることにより、図２５に示したフレキシブル基板１０８と同様に、環状の保持部１３０を形成する。よって、フレキシブル基板１０８と同様に、他の信号線、例えばフレキシブル基板２０２を保持し、また解放できる。
【０１０９】
また、フレキシブル基板１０９の保持部１３０は、複数のフレキシブル基板２０２を保持できる。更に、ひとつのフレキシブル基板１０９に、複数の保持部１３０を設けてもよい。また更に、複数設けた保持部１３０の構造、形状、大きさ等は互いに異なっていてもよい。
【０１１０】
図２８は、電子機器４００の斜視図である。電子機器４００はレンズユニット等に組み込まれる振動補正ユニットであり、フレキシブル基板２０４、ケース４１０、アクチュエータ４２０およびフォトインタラプタ４３０を含む。
【０１１１】
電子機器４００は、円筒形のケース４１０の内部に形成され、互いに直角に配された一対のアクチュエータ４２０および一対のフォトインタラプタ４３０を含む。フレキシブル基板２０４は、ケース４１０の内側で、これらアクチュエータ４２０およびフォトインタラプタ４３０を電気的に結合する。
【０１１２】
電子機器４００は、更に、角速度センサ等の電子部品組み込まれ、それらに対する電気的接続を形成する他の信号線も組み込まれる。そこで、フレキシブル基板２０４に保持部１３０を設けて他の信号線を保持させることにより、容量の限られたケース４１０内に部品を追加することなく、信号線を結束して位置決めできる。
【０１１３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１１４】
１００、１０１、１０２、１０３、１０４、１０５、１０６、１０７、１０８、１０９、２００、２０１、２０２、２０３、２０４  フレキシブル基板、１１０、２１０  ベースフィルム、１２０、２２０  配線部、１３０  保持部、１３１、１３３、１３５、１３６、１３７、２３１  凸部、１３２  切り込み部、１３４  開口部、１３８  案内部、１３９  差し込み部、２１２  屈曲部、２３３  先端縁部、３００  線材、４００  電子機器、４１０  ケース、４２０  アクチュエータ、４３０  フォトインタラプタ
【図１】
0005768444.tif 000002
【図２】
0005768444.tif 000003
【図３】
0005768444.tif 000004
【図４】
0005768444.tif 000005
【図５】
0005768444.tif 000006
【図６】
0005768444.tif 000007
【図７】
0005768444.tif 000008
【図８】
0005768444.tif 000009
【図９】
0005768444.tif 000010
【図１０】
0005768444.tif 000011
【図１１】
0005768444.tif 000012
【図１２】
0005768444.tif 000013
【図１３】
0005768444.tif 000014
【図１４】
0005768444.tif 000015
【図１５】
0005768444.tif 000016
【図１６】
0005768444.tif 000017
【図１７】
0005768444.tif 000018
【図１８】
0005768444.tif 000019
【図１９】
0005768444.tif 000020
【図２０】
0005768444.tif 000021
【図２１】
0005768444.tif 000022
【図２２】
0005768444.tif 000023
【図２３】
0005768444.tif 000024
【図２４】
0005768444.tif 000025
【図２５】
0005768444.tif 000026
【図２６】
0005768444.tif 000027
【図２７】
0005768444.tif 000028
【図２８】
0005768444.tif 000029